(57)【要約】【課題】原稿の画像を記録媒体の両面に形成する両面複写に際して、記録媒体の一面側に形成する画像と他面側に形成する画像との対応関係を変更することで、使用用途等に応じて、記録媒体の一面側に形成する画像と他面側に形成する画像とをユーザが任意に組合せることができる多機能な複写装置を提供する。【解決手段】画像読取装置が読み取った原稿画像の画像データを、記録媒体の一面側に形成する画像と他面側に形成する画像とに区別して、一面／他面を対応付けた状態で記憶し、記憶した画像データに基づいて記録媒体の両面に形成する複写装置で、記憶される画像データ間の対応関係を変更することを可能とした。【選択図】　　図３
2004072452.tif 000002
【特許請求の範囲】
【請求項１】
原稿画像を読み取る画像読取装置と、
前記画像読取装置が読み取った原稿画像の画像データを記憶装置に記憶させる画像記憶手段と、
前記記憶装置に記憶された画像データに基づく画像を記録媒体の両面に形成する画像形成装置と、
前記記憶装置に記憶される各画像データに対して、前記画像形成装置が当該画像データに基づいて形成する画像の形成面を記録媒体の一面側とするか他面側とするかを特定する形成面情報を設定する形成面設定手段と、
前記形成面設定手段が設定する前記形成面情報に基づいて、前記形成面情報が一面側である画像データと他面側である画像データとを対応付ける対応付け手段と、
前記対応付け手段により対応付けられる画像データ間の対応関係を変更する変更手段と、
を具備する複写装置。
【請求項２】
前記変更手段による変更を有効とするか無効とするかを設定する変更有無設定手段を具備する請求項１記載の複写装置。
【請求項３】
前記画像形成装置に対して、前記記憶装置に記憶された画像データに基づく画像を前記対応付け手段による対応付けにしたがった配列で記録媒体の単一面内に集約形成した画情報一覧を出力させる一覧出力手段を具備する請求項１または２記載の複写装置。
【請求項４】
前記一覧出力手段を有効とするか無効とするかを設定する一覧出力有無設定手段を具備する請求項３記載の複写装置。
【請求項５】
前記記憶装置に記憶された画像データを特定する特定情報を、前記対応付け手段による対応付けにしたがって組合せて表示部に表示させる表示手段と、
前記表示部に表示された前記特定情報の組合せを変更する組合せ変更手段と、を具備し、
前記変更手段は、前記組合せ変更手段が変更した前記特定情報の組合せに応じて画像データ間の対応関係を変更する請求項１、２、３または４記載の複写装置。
【請求項６】
前記画像形成装置は、記録媒体が一回通過する間に該記録媒体の片面に画像を形成するプリンタエンジンと、このプリンタエンジンに対して前記形成面情報が一面側である画像データに基づく画像形成を連続して行わせる第一の画像形成手段と、前記第一の画像形成手段による画像形成後に記録媒体の表裏反転を要求する反転要求手段と、反転要求の受け付けを宣言する反転宣言手段と、前記反転宣言手段による宣言があった場合に前記プリンタエンジンに対して前記形成面情報が他面側である画像データに基づく画像形成を連続して行わせる第二の画像形成手段と、を具備する請求項１、２、３、４または５記載の複写装置。
【請求項７】
前記画像読取装置が読み取る原稿が片面原稿であるか両面原稿であるかを設定する原稿設定手段を具備し、
前記画像読取装置は、原稿が一回通過する間に該原稿の片面の画像を読み取るスキャナ機構と、このスキャナ機構による原稿の一面側の画像読み取りを連続して行わせる第一の読取手段と、前記第一の読取手段による原稿の一面側の画像読み取り後に該原稿の表裏反転を要求する媒体反転要求手段と、反転要求の受け付けを宣言する媒体反転宣言手段と、前記媒体反転宣言手段による宣言があった場合に前記スキャナ機構による原稿の他面側の画像読み取りを連続して行わせる第二の読取手段と、を備え、
前記形成面設定手段は、前記原稿設定手段によって片面原稿であると設定された場合には前記画像読取装置による奇数番目の読み取りでの画像データの前記形成面情報を一面側とし偶数番目の読み取りでの画像データの前記形成面情報を他面側として設定し、前記原稿設定手段によって両面原稿であると設定された場合には前記画像読取装置による最初の読み取りでの一連の画像データの前記形成面情報を一面側とし続く読み取りでの一連の画像データの前記形成面情報を他面側として設定する請求項１、２、３、４、５または６記載の複写装置。
【発明の詳細な説明】
【０００１】
【発明の属する技術分野】
本発明は、複写装置に関する。
【０００２】
【従来の技術】
原稿の画像を読み取った画像データに基づく画像を用紙に形成する複写装置では、従来より、読み取った画像データに基づく画像を記録媒体の両面に形成することを可能とするものがある。このような複写装置では、読み取った画像データに基づく画像を、読み取った順番にしたがって記録媒体に形成して出力する。
【０００３】
特開平５−３０１３１５号公報には、複数枚の両面原稿の読み取りに際して、先に表面の画像を連続して読み取った後に裏面の画像を連続して読み取り、表面側の画像として先に読み取った画像と裏面の画像として読み取った画像とを、読み取った順番で対応付けることで、表面と裏面とを別々に読み取った画像を一つの原稿の画像として記憶管理することを可能とした技術が開示されている。該公報に開示された技術では、読み取った各画像の画像データに検索情報を付すことで、この検索情報に基づいて、原稿の表画像と裏画像とを対応付け検索することができる。
【０００４】
【発明が解決しようとする課題】
ところが、上述したように、従来の複写装置では、読み取った画像データに基づく画像を、読み取った順番にしたがって記録媒体に形成するため、記録媒体の表面に形成される画像と裏面に形成される画像との組合せは、読み取った順番によって一意に決められることとなる。
【０００５】
また、特開平５−３０１３１５号公報に開示された技術でも、同様に、表面側の画像として先に読み取った画像と、裏面の画像として読み取った画像とを、読み取った順番で対応付けることで管理しているため、記録媒体の表面に形成される画像と裏面に形成される画像との組合せは、読み取った順番によって一意に決められ、変更することはできない。
【０００６】
本発明の目的は、原稿の画像を記録媒体の両面に形成する両面複写に際して、記録媒体の一面側に形成する画像と他面側に形成する画像とをユーザが任意に組合せることができる多機能な複写装置を提供することである。
【０００７】
【課題を解決するための手段】
請求項１記載の発明の複写装置は、原稿画像を読み取る画像読取装置と、前記画像読取装置が読み取った原稿画像の画像データを記憶装置に記憶させる画像記憶手段と、前記記憶装置に記憶された画像データに基づく画像を記録媒体の両面に形成する画像形成装置と、前記記憶装置に記憶される各画像データに対して、前記画像形成装置が当該画像データに基づいて形成する画像の形成面を記録媒体の一面側とするか他面側とするかを特定する形成面情報を設定する形成面設定手段と、前記形成面設定手段が設定する前記形成面情報に基づいて、前記形成面情報が一面側である画像データと他面側である画像データとを対応付ける対応付け手段と、前記対応付け手段により対応付けられる画像データ間の対応関係を変更する変更手段と、を具備する。
【０００８】
したがって、画像読取装置が読み取った画像データは、形成面設定手段によって設定された形成面情報に基づいて、記録媒体の一面側に形成する画像と他面側に形成する画像とで対応付けられて、記憶手段によって記憶装置に記憶される。
記憶装置に記憶された画像データ間の対応関係は、変更手段によって変更することが可能となる。
【０００９】
請求項２記載の発明は、請求項１記載の複写装置において、前記変更手段による変更を有効とするか無効とするかを設定する変更有無設定手段を具備する。
【００１０】
したがって、記録媒体の一面側に形成する画像と他面側に形成する画像との組合せを決める画像データ間の対応関係を変更するか否かを、ユーザが設定することが可能になる。
【００１１】
請求項３記載の発明は、請求項１または２記載の複写装置において、前記画像形成装置に対して、前記記憶装置に記憶された画像データに基づく画像を前記対応付け手段による対応付けにしたがった配列で記録媒体の単一面内に集約形成した画情報一覧を出力させる一覧出力手段を具備する。
【００１２】
したがって、記憶装置に記憶された画像データに基づく画像を、対応付け手段による対応付けにしたがった配列で記録媒体の単一面内に集約形成した画情報一覧を出力することにより、画像データ間の対応関係の変更に際しては、この画情報一覧を参照して作業を行うことが可能になる。
【００１３】
請求項４記載の発明は、請求項３記載の複写装置において、前記一覧出力手段を有効とするか無効とするかを設定する一覧出力有無設定手段を具備する。
【００１４】
したがって、画情報一覧を出力するか否かをユーザが設定することが可能になる。
【００１５】
請求項５記載の発明は、請求項１、２、３または４記載の複写装置において、前記記憶装置に記憶された画像データを特定する特定情報を、前記対応付け手段による対応付けにしたがって組合せて表示部に表示させる表示手段と、前記表示部に表示された前記特定情報の組合せを変更する組合せ変更手段と、を具備し、前記変更手段は、前記組合せ変更手段が変更した前記特定情報の組合せに応じて画像データ間の対応関係を変更する。
【００１６】
したがって、記憶装置に記憶された画像データを特定する特定情報を対応付け手段による対応付けにしたがって組合せて表示部に表示させた特定情報の組合せを変更手段によって変更することで画像データ間の対応関係を変更することにより、変更した組合せをユーザが視認することが可能になる。
【００１７】
請求項６記載の発明は、請求項１、２、３、４または５記載の複写装置において、前記画像形成装置は、記録媒体が一回通過する間に該記録媒体の片面に画像を形成するプリンタエンジンと、このプリンタエンジンに対して前記形成面情報が一面側である画像データに基づく画像形成を連続して行わせる第一の画像形成手段と、前記第一の画像形成手段による画像形成後に記録媒体の表裏反転を要求する反転要求手段と、反転要求の受け付けを宣言する反転宣言手段と、前記反転宣言手段による宣言があった場合に前記プリンタエンジンに対して前記形成面情報が他面側である画像データに基づく画像形成を連続して行わせる第二の画像形成手段と、を具備する。
【００１８】
したがって、記録媒体が一回通過する間に該記録媒体の片面に画像を形成するプリンタエンジンを用いて記録媒体の両面に画像を形成する場合にも、記録媒体の一面側に形成する画像と他面側に形成する画像とを対応付けて画像形成を行うことができる。
【００１９】
請求項７記載の発明は、請求項１、２、３、４、５または６記載の複写装置において、前記画像読取装置が読み取る原稿が片面原稿であるか両面原稿であるかを設定する原稿設定手段を具備し、前記画像読取装置は、原稿が一回通過する間に該原稿の片面の画像を読み取るスキャナ機構と、このスキャナ機構による原稿の一面側の画像読み取りを連続して行わせる第一の読取手段と、前記第一の読取手段による原稿の一面側の画像読み取り後に該原稿の表裏反転を要求する媒体反転要求手段と、反転要求の受け付けを宣言する媒体反転宣言手段と、前記媒体反転宣言手段による宣言があった場合に前記スキャナ機構による原稿の他面側の画像読み取りを連続して行わせる第二の読取手段と、を備え、前記形成面設定手段は、前記原稿設定手段によって片面原稿であると設定された場合には前記画像読取装置による奇数番目の読み取りでの画像データの前記形成面情報を一面側とし偶数番目の読み取りでの画像データの前記形成面情報を他面側として設定し、前記原稿設定手段によって両面原稿であると設定された場合には前記画像読取装置による最初の読み取りでの一連の画像データの前記形成面情報を一面側とし続く読み取りでの一連の画像データの前記形成面情報を他面側として設定する。
【００２０】
したがって、原稿が一回通過する間に該原稿の片面の画像を読み取るスキャナ機構を用いて原稿の両面の画像を読み取る場合にも、原稿の一面側と他面側との画像を区別して読み取ることができる。
【００２１】
【発明の実施の形態】
本発明の一実施の形態について図１ないし図１０を参照して説明する。本実施の形態は、複写装置への適用例を示す。
【００２２】
図１は、本実施の形態の複写装置が備える各部について説明するブロック図である。本実施の形態の複写装置１は、複写装置１が備える各部を駆動制御するシステム制御部２を備えている。特に図示しないが、システム制御部２は、各種制御プログラムを実行して複写装置が備える各部を駆動するＣＰＵと、ＣＰＵが実行する制御プログラムや該制御プログラムの実行に際して必要なデータ等を記憶するメモリとを備えるマイクロコンピュータを主体として構成されている。
【００２３】
システム制御部２には、操作表示部３、原稿搬送部４、読取部５、画像処理部６、給紙部７、作像部８、定着部９、原稿画像記憶部１０、画像番号付加部１１、変更設定部１２、組合せ設定部１３、および、原稿画情報一覧出力設定部１４が、システム制御部４０との間でデータ通信自在に接続されている。以下に、システム制御部４０に接続されている各部について説明する。
【００２４】
操作表示部３は、図２に示すように、ユーザによる操作を受け付ける操作部２０と、図６や図８に示すような操作画面３０，３１等を表示する表示部２１とを備えており、ユーザとのインターフェイスとして機能する。本実施の形態の表示部２１は、液晶パネルによって実現されている。本実施の形態の操作部２０は、表示部２１の表示面側に積層されたタッチパネル２０ａや、コピー枚数の設定等に使用されるテンキー２０ｂ、コピー動作の開始を指示するスタートキー２０ｃによって実現されている。例えば、図６に示すような操作画面３０には、タッチパネル２０ａに割り当てられる各種操作キーの位置を案内する情報３０ａ，３０ｂ，３０ｃ等も表示される。
【００２５】
原稿搬送部４は、原稿がセットされる原稿テーブルや、原稿テーブルにセットされた原稿を読取部５が原稿を読み取る読取位置へ搬送するとともに、読み取りが終了した原稿を読取位置から排出する図示しない原稿搬送機構を備えている。
原稿搬送機構については、公知の技術であるため図示および説明を省略するが、原稿搬送機構は、例えば、モータ等の駆動手段によって駆動される複数の搬送ローラや搬送ベルト等によって構成することが可能である。なお、本実施の形態では、シート状の原稿を読み取り対象とする。
【００２６】
読取部５は、原稿搬送部４によって読取位置に搬送された原稿の画像を光学的に読み取るスキャナ機構を備えている。公知の技術であるため特に図示しないが、スキャナ機構は、読取位置に向けて光を照射する露光ランプや、読取位置からの反射光を受光する受光素子、読取位置からの反射光を受光素子に案内する光学部材等を備えており、原稿搬送部４によって読取位置に搬送された原稿の片面側の画像を読み取る。本実施の形態では、読取部５によって画像読取装置が実現されている。
【００２７】
なお、本実施の形態では、原稿搬送部４によって読取位置に搬送された原稿の片面側の画像を読み取るスキャナ機構を有する読取部５としたが、これに限るものではなく、例えば、原稿搬送部４によって読取位置に搬送された原稿の両面の画像を読み取るスキャナ機構を有する読取部５としてもよい。
【００２８】
画像処理部６は、読取部５でＡ／Ｄ変換されたデジタル画像データ（以降、単に画像データという）に対して各種画像処理を施す。画像処理部６が行う画像処理としては、例えば、シェーディング補正、ＭＴＦ補正、γ補正等公知の画像処理が挙げられる。なお、シェーディング補正、ＭＴＦ補正、γ補正等の各種画像処理については公知の技術であるため、説明を省略する。画像処理部６で各種画像処理が施された画像データは、原稿画像記憶部１０に記憶される。
【００２９】
作像部８は、原稿画像記憶部１０に記憶された画像データに基づいて、記録媒体上に画像を形成する。本実施の形態では、シート状の用紙（転写紙）を記録媒体として用いる。公知の技術であるため図示および説明を省略するが、作像部８は、感光体、感光体表面を帯電させる帯電装置、画像データに基づいて感光体表面を露光走査する露光走査装置、感光体表面に形成された静電潜像にトナーを付着させることにより顕像化する現像装置、および、顕像化されたトナー像を転写紙上に転写させる転写装置等によって構成されるプリンタエンジンを備えており、電子写真方式により画像を形成する。本実施の形態では、作像部８によって、画像形成装置が実現されている。
【００３０】
給紙部７は、作像部８による画像形成前の転写紙を保持する給紙トレイや、給紙トレイに保持された転写紙をプリンタエンジンへ搬送する図示しない媒体搬送機構、プリンタエンジンからの画像形成済みの転写紙が排紙される排紙トレイ等を備えており、作像部８での作像動作にタイミングを合わせて転写紙を供給する。給紙トレイに対しては、後述する両面複写処理の実行中に表示されるメッセージに応じて、手作業によって転写紙をセットすることができる。
【００３１】
定着部９は、作像部８によってトナー像が転写された転写紙に対して、高温で加熱するとともに加圧することで、転写されたトナー像を転写紙に圧着する。
【００３２】
原稿画像記憶部１０は、画像処理部６で画像処理が施された画像データを記憶する画像記憶ファイルを備えており、記憶装置として機能する。原稿画像記憶部１０に記憶される画像データには、画像番号付加部１１によって、各画像データを特定する特定情報としての画像番号ａ〜ｈがそれぞれ付加されている（図３参照）。また、原稿画像記憶部１０に記憶される画像データには、読み取り順にしたがって設定され、該画像データに基づく画像の形成面を転写紙の表側（一面側）とするか裏側（他面側）とするかを特定する形成面情報が付加されている。後述するが、形成面情報の付加方法は、後述する両面複写処理に際しての動作モードが「片面→両面作像モード」に設定されているか「両面→両面作像モード」に設定されているかに応じて異なる。
【００３３】
変更設定部１２は、後述する両面複写処理に際して、作像部８による転写紙への両面画像形成に先立って、図３に示す組合せファイルＦの設定を変更するか否かを設定し、変更有無設定手段として機能する。
【００３４】
組合せ設定部１３は、図３に示すように、記憶媒体の表面に形成する画像と裏面に形成する画像との対応付けを設定する組合せファイルＦを備えており、対応付け手段として機能する。組合せファイルＦには、画像番号付加部１１によって付加された画像番号ａ〜ｈが、後述する両面複写処理に際しての動作モードに応じて設定される形成面情報に基づいて、転写紙の表面に形成する画像と裏面に形成する画像とに対応付けられて記憶されている。上述した作像部８は、後述する両面複写処理に際して、組合せファイルＦの設定にしたがった裏表の組合せで画像形成を行う。組合せファイルＦの設定は、変更設定部１２における設定が「組合せファイルＦの設定を変更する」である場合に、操作表示部３のテンキー２０ｂの操作によってユーザが変更することができる（図３（ｂ）、図８参照）。後述する両面複写処理に際して、組合せ設定部１３は、操作画面３１上で変更された設定にしたがって、図３（ａ）に示す状態から図３（ｂ）に示すように、組合せファイルＦの設定を変更する。ここに、変更手段が実現される。
【００３５】
原稿画情報一覧出力設定部１４は、原稿画像記憶部１０に記憶されている画像データに基づく画像を、組合せファイルＦの設定にしたがって、転写紙の表面に形成する画像と裏面に形成する画像とを対応付けた配列で、転写紙の単一面内に集約形成した画情報一覧２５（図７参照）を出力するか否かを設定し、一覧出力有無設定手段として機能する。本実施の形態では、転写紙の表面に形成する画像２５ａ，２５ｃ，２５ｅ，２５ｇと裏面に形成する画像２５ｂ，２５ｄ，２５ｆ，２５ｈとが図７中左右方向に隣り合うように配列された画情報一覧２５を出力する。画情報一覧２５の各画像２５ａ，２５ｂ，２５ｃ，２５ｄ，２５ｅ，２５ｆ，２５ｇ，２５ｈには、対応する画像番号ａ，ｂ，ｃ，ｄ，ｅ，ｆ，ｇ，ｈがそれぞれ組み合わされて形成されている。
【００３６】
次に、制御プログラムに基づいてシステム制御部４０が実行する両面複写処理について図４ないし図１０を参照して説明する。両面複写処理の実行に際して、ユーザは、原稿搬送部４の原稿テーブルに原稿をセットし、スタートキー２０ｃを操作する。また、両面複写処理に際しては、スタートキー２０ｃの操作に先立って、ユーザは、「片面→両面作像モード」または「両面→両面作像モード」のいずれかを設定する。ここに、原稿設定手段としての機能が実現される。
【００３７】
両面複写処理では、まず、図４に示すように、スタートキー２０ｃが操作されたと判断するまで待機し（ステップＳ１のＮ）、スタートキー２０ｃが操作されたと判断した場合には（Ｓ１のＹ）、片面のみに画像が形成された片面原稿から読み取った画像を記録材の両面に形成する「片面→両面作像モード」が設定されているか否かを判断する（Ｓ２）。
【００３８】
「片面→両面作像モード」が設定されていると判断した場合には（Ｓ２のＹ）、図５に示す「片面→両面作像処理」を実行する」（Ｓ３）。
【００３９】
一方、「片面→両面作像モード」が設定されていないと判断した場合には（Ｓ２のＮ）、読み取る原稿が両面に画像が形成された両面原稿から読み取った画像を記録材の両面に形成する「両面→両面作像モード」が設定されているか否かを判断する（Ｓ４）。
【００４０】
なお、本実施の形態では、「片面→両面作像モード」または「両面→両面作像モード」を、スタートキーの操作以前に設定するようにしたが、これに限るものではなく、スタートキー２０ｃの操作後に設定するようにしてもよい。この場合、例えば、スタートキー２０ｃの操作後に「複写モードを設定してください」等のメッセージおよび設定キーを含む表示画面を表示部２１に表示させ、このメッセージにしたがって設定キーを操作させることにより設定することができる。
【００４１】
「両面→両面作像モード」であると判断した場合には（Ｓ４のＹ）、図９および図１０に示す「両面→両面作像処理」を実行する（Ｓ５）。
【００４２】
次に、ステップＳ３で実行する「片面→両面作像処理」について図５ないし図８を参照して説明する。「片面→両面作像処理」では、原稿搬送部４の原稿セット位置に原稿がセットされているか否かを判断し（Ｓ１０）、原稿がセットされていると判断した場合には（Ｓ１０のＹ）、原稿搬送部４によって読取位置まで原稿を搬送させ（Ｓ１１）、読取部５によって原稿画像を読み取らせる（Ｓ１２）。上述したように、読み取った画像データには、画像処理部６で各種画像処理が施される。
【００４３】
そして、読み取った画像データに画像番号ａ〜ｈを付加して、原稿画像記憶部１０に記憶させ（Ｓ１３）、読み取りが終了した原稿を原稿搬送部４によって読取位置から送り出す（Ｓ１４）。ステップＳ１１からステップＳ１４までの処理は、ステップＳ１０において、原稿搬送部４の原稿セット位置に原稿がセットされていないと判断するまで繰り返す。このとき、ステップＳ１３では、読み取った順番を特定できるような画像番号ａ〜ｈを付加する。すなわち、読み取った順番にしたがって「１，２，３・・・」のよう画像番号ａ〜ｈを付加する。また、「片面→両面作像モード」が設定されている場合には、読み取った画像データのうち奇数番目に読み取った画像データに対して、この画像データに基づく画像の形成面を表側とする形成面情報を設定し、読み取った画像データのうち偶数番目に読み取った画像データに対して、この画像データに基づく画像の形成面を裏側とする形成面情報を設定する。ここに、形成面設定手段としての機能が実現される。
【００４４】
原稿搬送部４の原稿セット位置に原稿がセットされていないと判断した場合には（Ｓ１０のＮ）、図６に示すように、操作表示部３の表示部２１に「次原稿ありますか？」等のメッセージ３０ａや次原稿の有無を入力する操作キー３０ｂ，３０ｃの位置を案内する情報等が含まれた操作画面３０を表示させる（Ｓ１５）。
【００４５】
ユーザは、表示部２１の操作画面３０に表示されるメッセージ３０ａにしたがい、操作キー３０ｂまたは３０ｃを操作して、次原稿の有無を入力する。
【００４６】
ユーザによる操作キー３０ｂの操作により次原稿があると判断した場合には（Ｓ１６のＹ）、原稿搬送部４の原稿テーブル上の原稿セット位置に原稿がセットされたと判断するまで待機し（Ｓ１７のＮ）、原稿がセットされたと判断した場合には（Ｓ１７のＹ）、ステップＳ１１に進む。
【００４７】
一方、ユーザによる操作キー３０ｃの操作により次原稿がないと判断した場合には（Ｓ１６のＮ）、操作表示部３の表示部２１に「組合せ変更有り？」等のメッセージや組合せ変更の有無を設定する操作キーの位置を案内する情報等を含む図示しない操作画面を表示させ（Ｓ１８）、変更設定部１２を参照して、変更設定部１２における設定が「組合せファイルＦの設定を変更する」であるか否かを判断する（Ｓ１９）。
【００４８】
ユーザは、操作キーを操作して、「組合せ変更有り」または「組合せ変更無し」を設定する。ユーザによる操作キーの操作により「組合せ変更有り」が設定されると変更設定部１２における設定は「組合せファイルＦの設定を変更する」となり、ユーザによる操作キーの操作により「組合せ変更無し」が設定されると変更設定部１２における設定は「組合せファイルＦの設定を変更しない」となる。
【００４９】
変更設定部１２を参照して、変更設定部１２における設定が「組合せファイルＦの設定を変更しない」であると判断した場合には（Ｓ１９のＹ）、操作表示部３の表示部２１に「画情報一覧出力しますか？」等のメッセージや画情報一覧２５の出力の有無を設定する操作キーの位置を案内する情報等を含む図示しない操作画面を表示させ（Ｓ２０）、原稿画情報一覧出力設定部１４によって、画情報一覧２５を出力する設定がなされたか否かを判断する（Ｓ２１）。
【００５０】
ユーザは、画情報一覧２５を出力したい場合、操作キーを操作して、画情報一覧２５を出力する設定をする。これによって、原稿画情報一覧出力設定部１４による画情報一覧２５を出力する設定がなされる。
【００５１】
原稿画情報一覧出力設定部１４によって、画情報一覧２５を出力する設定がなされたと判断した場合には（Ｓ２１のＹ）、図７に示すように、ステップＳ１０からステップＳ１７までの処理で読み取った複数の画像データに基づく画像を、作像部８によって単一の転写紙面内に集約形成した画情報一覧２５を出力し（Ｓ２２）、図８に示すように、画像番号ａ〜ｈの組合せを変更する操作画面３１を操作表示部３の表示部２１に表示させる（Ｓ２３）。ここに、ステップＳ２２によって一覧出力手段としての機能が実行され、ステップＳ２３によって表示手段としての機能が実行される。
【００５２】
操作画面３１には、ステップＳ１０からステップＳ１７までの処理で読み取った複数の画像データを特定する画像番号ａ〜ｈが、画像データの裏表の対応関係を示すように表示されている。また、操作画面３１には、「画情報の組合せを設定してください」等の画像番号ａ〜ｈの組合せの設定を変更させるメッセージ３１ａや、「設定して閉じる」キー３１ｂ、「キャンセル」キー３１ｃを示す情報等が表示されている。
【００５３】
ユーザは、操作画面３１の表示に基づいてテンキーや操作キーを操作し、転写紙の表面に形成する画像と裏面に形成する画像との組合せを画像番号ａ〜ｈの組合せによって設定し、設定終了後に「設定して閉じる」キー３１ｂを操作する。ここに、組合せ変更手段が実現される。
【００５４】
なお、本実施の形態では、組合せファイルＦの設定を変更するか否かを、スタートキー２０ｃを操作した後に設定するようにしたが、これに限るものではなく、スタートキー２０ｃの操作前に設定するようにしてもよい。この場合、ステップＳ１８の処理は不要となり、操作表示部３の表示部２１には「組合せ変更有り？」のメッセージは表示されずに、ステップＳ１９の処理に進む。
【００５５】
ところで、本実施の形態では、両面複写処理に際して、図７に示すように、原稿画像記憶部１０に記憶された画像データに基づく画像を転写紙の単一面内に集約形成した画情報一覧２５を出力するため、ユーザは、この画情報一覧２５を参照して、転写紙の一面側に形成する画像と他面側に形成する画像との対応関係を変更することができる。これによって、組合せ作業を行ない易くして、使い勝手のよい複写装置１を提供することができる。
【００５６】
また、本実施の形態の複写装置１によれば、この画情報一覧２５を出力するか否かもユーザが設定することができるので、必要な場合にのみ画情報一覧２５を出力することができ、より使い勝手のよい複写装置１を提供することができる。
【００５７】
ユーザによる「設定して閉じる」キー３１ｂの操作により組合せ設定の終了を判断するまで待機し（Ｓ２４のＮ）、「設定して閉じる」キー３１ｂが操作されることにより、組合せ設定の終了を判断した場合には（２４のＹ）、組合せファイルＦの設定を変更し、変更した設定に基づいて作像部８によって、表面の画像として設定された画像データに基づく画像を転写紙上に形成し（Ｓ２５）、表面分の画像データに基づく画像形成が全て終了した時点で、操作表示部３の表示部２１に「記録済み用紙を裏返して給紙トレイにセットしてください。」等のメッセージを表示させる（Ｓ２６）。このとき、操作表示部３の表示部２１には、メッセージに加えて、「セット完了」等の、裏返した転写紙を給紙トレイにセットしたことを宣言するキーの位置を案内する情報を表示させる。
【００５８】
ユーザは、操作表示部３の表示部２１に表示されたメッセージにしたがって、記録済み転写紙を裏返して給紙部７の給紙トレイにセットし、「セット完了」キーを操作する。
【００５９】
ユーザによる「セット完了」キーの操作により、裏返した転写紙の給紙トレイへのセットが完了したと判断するまで待機し（Ｓ２７のＮ）、裏返した転写紙の給紙トレイへのセットが完了したと判断した場合には（Ｓ２７のＹ）、作像部８によって、裏面の画像として設定された画像データに基づく画像を、給紙トレイにセットされた転写紙に形成する（Ｓ２８）。
【００６０】
一方、ユーザによる操作キーの操作により、変更設定部１２を参照して、変更設定部１２における設定が「組合せファイルＦの設定を変更する」ではないと判断した場合には（Ｓ１９のＮ）、画像番号ａ〜ｈに基づき、作像部８によって、原稿画像記憶部１０に記憶された画像データのうち奇数番目に読み取った画像データに基づく画像を転写紙上に形成し（Ｓ２９）、表面分の画像データを全て形成し終わった時点で、ステップＳ２６と同様に、操作表示部３の表示部２１に「記録済み用紙を裏返して給紙トレイにセットしてください。」等のメッセージを表示させる（Ｓ３０）。ここに、ステップＳ２９によって第一の画像形成手段としての機能が実行され、ステップＳ３０において媒体反転要求手段としての機能が実行される。このときも、操作表示部３の表示部２１には、メッセージに加えて、「セット完了」キーの位置を案内する情報を表示させる。
【００６１】
ユーザは、操作表示部３の表示部２１に表示されたメッセージにしたがって、記録済み転写紙を裏返して給紙トレイにセットし、「セット完了」キーを操作する。この「セット完了」キーは、ユーザによって操作されることにより裏返した転写紙の給紙トレイへのセットが完了したことを宣言する。
【００６２】
ユーザによる「セット完了」キーの操作により、裏返した転写紙の給紙トレイへのセットが完了したと判断するまで待機し（Ｓ３１のＮ）、裏返した転写紙の給紙トレイへのセットが完了したと判断した場合には（Ｓ３１のＹ）、画像番号ａ〜ｈに基づき、作像部８によって、原稿画像記憶部１０に記憶された画像データのうち偶数番目に読み取った画像データに基づく画像を、給紙トレイにセットされた転写紙に形成する（Ｓ３２）。ここに、ステップＳ３１のＹによって媒体反転宣言手段としての機能が実行され、ステップＳ３２によって第二の画像形成手段としての機能が実行される。
【００６３】
次に、ステップＳ５で実行する「両面→両面作像処理」について図９および図１０を参照して説明する。「両面→両面作像処理」では、まず、図９に示すように、図５で説明した「片面→両面作像処理」のステップＳ１０からステップＳ１７までの処理と同様の処理を実行し、ユーザによる操作キーの操作により次原稿がないと判断した場合には（Ｓ１６のＮ）、操作表示部３の表示部２１に「読取済み原稿を裏返して原稿セット位置にセットしてください。」等のメッセージと読取済み原稿を裏返して原稿セット位置にセットしたことを宣言する操作キー等を含む図示しない操作画面を表示させ（Ｓ４０）、原稿搬送部４の原稿セット位置に原稿がセットされたと判断するまで待機する（Ｓ４１のＮ）。ここに、「両面→両面作像処理」におけるステップＳ１０からステップＳ１７までの処理によって第一の読取手段としての機能が実行される。また、ステップＳ４０によって原稿反転要求手段としての機能が実行される。
【００６４】
原稿がセットされたと判断した場合には（Ｓ４１のＹ）、ステップＳ４２に進み、ステップＳ４２からステップＳ４９までは、図５に示すステップＳ１０からステップＳ１７までの処理と同様の処理を実行する。ここに、「両面→両面作像処理」におけるステップＳ４２からステップＳ４９までの処理によって第二の読取手段としての機能が実行される。また、ステップＳ４１のＹによって原稿反転宣言手段としての機能が実行される。
【００６５】
なお、「両面→両面作像モード」が設定されている場合には、読み取った画像データのうち、ステップＳ１０からステップＳ１７までの処理によって読み取った画像データに対して、この画像データに基づく画像の形成面を表側とする形成面情報を設定し、読み取った画像データのうちステップＳ４２からステップＳ４９までの処理によって読み取った画像データに対して、この画像データに基づく画像の形成面を裏側とする形成面情報を設定する。ここに、形成面設定手段としての機能が実現される。
【００６６】
このとき、ステップＳ４８で、ユーザによる操作キーの操作により次原稿がないと判断した場合には（Ｓ４８のＮ）、図１０に示すように、ステップＳ１８に進み、図５で説明した「片面→両面作像処理」のステップＳ１８からステップＳ２８までの処理と同様の処理を実行する。
【００６７】
ステップＳ１９で、変更設定部１２を参照して、変更設定部１２における設定が「組合せファイルＦの設定を変更する」ではないと判断した場合には（Ｓ１９のＮ）、作像部によって、原稿画像記憶部１０に記憶された画像データのうち表面として読み取った画像データに基づく画像を転写紙上に形成し（Ｓ５０）、表面分の画像データを全て形成し終わった時点で、操作表示部３の表示部２１に「記録済み用紙を裏返して給紙トレイにセットしてください。」等のメッセージを表示させる（Ｓ５１）。このときも、操作表示部３の表示部２１には、メッセージに加えて、「セット完了」等の、裏返した転写紙を給紙トレイにセットしたことを宣言するキーの位置を案内する情報を表示させる。
【００６８】
そして、ユーザによる「セット完了」キーの操作により、裏返した転写紙の給紙トレイへのセットが完了したと判断するまで待機し（Ｓ５２のＮ）、裏返した転写紙の給紙トレイへのセットが完了したと判断した場合には（Ｓ５２のＹ）、作像部によって、原稿画像記憶部１０に記憶された画像データのうち裏面として読み取った画像データに基づく画像を転写紙上に形成する（Ｓ５３）。
【００６９】
本実施の形態の複写装置１によれば、原稿の画像を転写紙の両面に形成する両面複写に際して、転写紙の表面に形成する画像と裏面に形成する画像との対応関係を変更することができるので、使用用途等に応じて、転写紙の一面側に形成する画像と他面側に形成する画像とをユーザが任意に組合せることができ、多機能な複写装置を提供することができる。
【００７０】
また、本実施の形態の複写装置によれば、セットされた複数枚の原稿の片面側の読み取りが終了した場合に、原稿を裏返してセットさせることにより、原稿を一回搬送する間に該原稿の片面側の画像のみ読み取るスキャナ機構を備える読取部５であっても、両面の画像を読み取ることができる。
【００７１】
さらに、転写紙の片面に画像を形成した後に、該転写紙を裏返して再度セットさせることにより、転写紙を一回搬送する間に該転写紙の片面のみに画像を形成するプリンタエンジンを備える作像部８であっても、転写紙の両面に画像を形成することができる。
【００７２】
加えて、本実施の形態の複写装置１によれば、転写紙の表面に形成する画像と裏面に形成する画像との対応関係の変更を行うか否かをユーザが設定することができるので、転写紙の表面に形成する画像と裏面に形成する画像との対応関係を、必要に応じて変更することができる。
【００７３】
さらには、表示部２１に表示させた画像番号ａ〜ｈの組合せを変更して、転写紙の表面に形成する画像と裏面に形成する画像との対応関係を変更することにより、変更した組合せをユーザが視認することができるので、作業環境を快適にして、設定ミスの発生を防止することができる。
【００７４】
なお、本実施の形態では、画情報一覧２５を転写紙に形成して出力するようにしたが、これに限るものではなく、例えば、操作表示部３の表示部２１上に画情報一覧２５と同様の画面を表示させるにより出力するようにしてもよい。
【００７５】
【発明の効果】
請求項１記載の発明の複写装置によれば、画像読取装置が読み取った原稿画像の画像データを、形成面設定手段によって設定した形成面情報に基づいて、一面側として記憶される画像データと他面側として記憶される画像データとに対応付けて記憶し、この画像データ間の対応関係を変更手段によって変更することを可能としたので、原稿の画像を記録媒体の両面に形成する両面複写に際しては、記録媒体の一面側に形成する画像と他面側に形成する画像との組合せを変更することができ、使用用途等に応じて、記録媒体の一面側に形成する画像と他面側に形成する画像とをユーザが任意に組合せることができる機能な複写装置を提供することができる。
【００７６】
請求項２記載の発明によれば、請求項１記載の複写装置において、記録媒体の一面側として記憶される画像データと他面側として記憶される画像データとの対応関係を変更するか否かをユーザが設定することが可能になるので、画像データ間の対応関係の変更を必要に応じて行うことができ、使い勝手のよい複写装置を提供することができる。
【００７７】
請求項３記載の発明によれば、請求項１または２記載の複写装置において、記憶装置に記憶された画像データに基づく画像を、対応付け手段による対応付けにしたがった配列で記録媒体の単一面内に集約形成した画情報一覧を出力することにより、画像データ間の対応関係の変更に際しては、この画情報一覧を参照して作業を行うことが可能になるので、ユーザに対して快適な作業環境を提供し、作業を行ない易くすることができる。
【００７８】
請求項４記載の発明によれば、請求項３記載の複写装置において、画情報一覧を出力するか否かをユーザが設定することが可能になるので、ユーザの必要性に応じて画情報一覧を出力することで、使い勝手のよい複写装置を提供することができる。
【００７９】
請求項５記載の発明によれば、請求項１、２、３または４記載の複写装置において、記憶装置に記憶された画像データを特定する特定情報を対応付け手段による対応付けにしたがって組合せて表示部に表示させた特定情報の組合せを変更手段によって変更して、画像データ間の対応関係を変更することにより、変更した組合せをユーザが視認することが可能になるので、ユーザに対して快適な作業環境を提供し、設定ミスの発生を防止することができる。特に、請求項３または４記載の発明のように画情報一覧を出力することにより、設定ミスの発生をより効果的に防止することができる。
【００８０】
請求項６記載の発明によれば、請求項１、２、３、４または５記載の複写装置において、記録媒体が一回通過する間に該記録媒体の片面に画像を形成するプリンタエンジンを用いて記録媒体の両面に画像を形成する場合にも、記録媒体の一面側に形成する画像と他面側に形成する画像とを対応付けて画像形成を行うことができるので、実用上、装置を複雑化することなく、低コスト化を図ることができる。
【００８１】
請求項７記載の発明によれば、請求項１、２、３、４、５または６記載の複写装置において、原稿が一回通過する間に該原稿の片面の画像を読み取るスキャナ機構を用いて原稿の両面の画像を読み取る場合にも、原稿の一面側と他面側との画像を区別して読み取ることができるので、実用上、装置を複雑化することなく、低コスト化を図ることができる。
【図面の簡単な説明】
【図１】本発明の一実施の形態の複写装置が備える各部について説明するブロック図である。
【図２】操作表示部の外観を示す平面図である。
【図３】組合せファイルＦのデータ構造を示す説明図である。
【図４】両面複写処理について概略的に説明するフローチャートである。
【図５】
片面→両面作像処理について概略的に説明するフローチャートである。
【図６】
表示パネルに表示される操作画面を示す平面図である。
【図７】
画情報一覧を示す平面図である。
【図８】
表示パネルに表示される操作画面を示す平面図である。
【図９】
両面→両面作像処理について概略的に説明するフローチャートである。
【図１０】
両面→両面作像処理について概略的に説明するフローチャートである。
【符号の説明】
１　　　複写装置
５　　　画像読取装置
８　　　画像形成装置
１０　　　記憶装置
２５　　　画情報一覧
【図１】
2004072452.tif 000003
【図２】
2004072452.tif 000004
【図３】
2004072452.tif 000005
【図４】
2004072452.tif 000006
【図５】
2004072452.tif 000007
【図６】
2004072452.tif 000008
【図７】
2004072452.tif 000009
【図８】
2004072452.tif 000010
【図９】
2004072452.tif 000011
【図１０】
2004072452.tif 000012